(57)【要約】      （修正有）【課題】高速駆動が可能な液晶表示装置を提供する。【解決手段】ベンド配向に転移可能な液晶層と、ベンド配向された該液晶層を透過する光によって画像を表示する複数の画素４からなる表示画面と、画素電圧印加手段とを備え、該画素電圧の印加により上記光の透過率を変化させることによって上記画像情報に対応した画像を上記表示画面に表示する液晶表示装置であって、上記画素４の液晶層が、画素電極６と上記走査方向における前段側のゲート電極２との間に形成されてなる容量結合を通じて該画素４の液晶層に印加される電圧を利用してベンド配向に転移する。【選択図】図３
2011154379.tif 000002
【特許請求の範囲】
【請求項１】
ベンド配向に転移可能な液晶層と、ベンド配向された該液晶層を透過する光によって画像を表示する複数の画素からなる表示画面と、画素電圧印加手段とを備え、該画素電圧の印加により上記光の透過率を変化させることによって上記画像情報に対応した画像を上記表示画面に表示する液晶表示装置であって、
上記画素の液晶層が、画素電極と上記走査方向における前段側のゲート電極との間に形成されてなる容量結合を通じて該画素の液晶層に印加される電圧を利用してベンド配向に転移することを特徴とする液晶表示装置。
【請求項２】
ベンド配向に転移可能な液晶層と、ベンド配向された該液晶層を透過する光によって画像を表示する複数の画素からなる表示画面と、画素電圧印加手段とを備え、該画素電圧の印加により上記光の透過率を変化させることによって上記画像情報に対応した画像を上記表示画面に表示する液晶表示装置であって、
上記画素の液晶層が、画素電極と専用の容量線との間に形成されてなる容量結合を通じて該画素の液晶層に印加される電圧を利用してベンド配向に転移することを特徴とする液晶表示装置。
【請求項３】
上記転移動作に先立って上記画素の液晶層に電圧を印加しない休止期間を有する請求項１または請求項２記載の液晶表示装置。
【請求項４】
上記複数の画素をゲート電極を通じて順次走査するゲート駆動手段を有し、上記画素電圧印加手段が、上記走査される画素の液晶層に上記画像情報の画素の輝度情報に基づいた基電圧をソース電極を通じて印加するソース駆動手段、及び上記走査後に上記画素に上記容量結合を通じて上記基電圧とともに上記画素電圧を形成するように積み上げ電圧を印加する積み上げ電圧印加手段を有し、上記積み上げ電圧を上記画素の液晶層のベンド配向への転移に利用してなる請求項３記載の液晶表示装置。
【請求項５】
上記積み上げ電圧印加手段としての上記ゲート駆動手段が、上記転移時に全ての画素を順次走査しながら上記積み上げ電圧を各画素に印加するものである請求項１記載の液晶表示装置。
【請求項６】
上記ソース駆動手段が交流の転移用の電圧値を有する上記基電圧を出力するものであり、上記ゲート駆動手段が、上記休止期間中には、上記画素毎に設けられたスイッチング素子が上記走査時及びそれ以外の時にそれぞれ導通及び遮断となる２つの電圧レベルを有するゲート信号を出力し、上記転移期間中には、上記２つの電圧レベルに加えて、上記走査の直後に上記基電圧の極性に対応する極性の上記積み上げ電圧を印加可能な２つの電圧レベルを有するゲート信号を出力するものである請求項５記載の液晶表示装置。
【請求項７】
上記ソース駆動手段が直流の転移用の電圧値を有する上記基電圧を出力するものであり、上記ゲート駆動手段が、上記休止期間中には、上記画素毎に設けられたスイッチング素子が上記走査時及びそれ以外の時にそれぞれ導通及び遮断となる２つの電圧レベルを有するゲート信号を出力し、上記転移期間中には、上記２つの電圧レベルに加えて、上記走査の直後に上記基電圧の極性と同じ極性の上記積み上げ電圧を印加可能な１つの電圧レベルを有するゲート信号を出力するものである請求項５記載の液晶表示装置。
【発明の詳細な説明】
【技術分野】
【０００１】
本発明は、液晶表示装置に関し、特に高速駆動が可能なものに関する。
【背景技術】
【０００２】
従来、液晶表示素子はＴＮ型液晶表示素子が一般的に用いられてきた。しかし、ＴＮ型液晶表示装置は応答速度が遅いことから、高速応答が可能な液晶表示装置として、ＯＣＢ型表示装置が検討されている。このＯＣＢ型液晶表示装置の詳細については、非特許文献１を参考にされたい。
【０００３】
このＯＣＢ型液晶表示装置は、基板間に液晶が挟持されており、この基板内面には透明電極が形成されている。電源を入れる前の状態ではこの液晶の配向状態はスプレイ配向と呼ばれる状態をなしている。そして、この液晶表示装置の電源を入れる時などに、この透明電極に比較的大きな電圧を短時間に印加して、液晶の配向をベンド配向状態に転移させる。このベンド配向状態を用いて表示を行うことがＯＣＢ型液晶表示モードの特徴であり、それによって高速応答が可能となっている。
【先行技術文献】
【非特許文献】
【０００４】
【非特許文献１】社団法人電気通信学会  信学技報  ＥＤＩ９８−１４４  １９９頁
【発明の概要】
【発明が解決しようとする課題】
【０００５】
ところで、ＨＯＬＤ型表示装置の問題が「情報科学用有機材料第１４２委員会、Ａ部会（液晶材料）第７１回研究会、Ｂ部会（インテリジェント有機材料）第６２回研究会 合同研究会資料 平成１０年１１月２０日 日本学術振興会 １〜５頁」において指摘され、液晶ディスプレイにおいてもＣＲＴ並みの動画対応を実現する技術が示唆された。このような技術のうち、もっとも簡便なものは画面を高速に書き込み、周期的に黒画面を挿入するというものである。このように画面の書き込み時間を短時間で行う手法を総称して「高速駆動」と本明細書では述べることとする。
【０００６】
しかしながら、ＯＣＢ型液晶表示装置では、高速応答が可能なものの、上記高速駆動に十分対応できるまでには至っていないという課題があった。
【０００７】
本発明はこのような課題を解決するためになされたもので、高速駆動が可能な液晶表示装置を提供することを目的としている。
【課題を解決するための手段】
【０００８】
上記課題を解決するために、本発明に係る液晶表示装置は、ベンド配向に転移可能な液晶層と、ベンド配向された該液晶層を透過する光によって画像を表示する複数の画素からなる表示画面と、画素電圧印加手段とを備え、該画素電圧の印加により上記光の透過率を変化させることによって上記画像情報に対応した画像を上記表示画面に表示する液晶表示装置であって、上記画素の液晶層が、画素電極と上記走査方向における前段側のゲート電極との間に形成されてなる容量結合を通じて該画素の液晶層に印加される電圧を利用してベンド配向に転移するものとしてもよい（請求項１）。
【０００９】
かかる構成とすると、通常の画素電圧印加手段によって印加される電圧に加えて、容量結合を通じて印加される電圧を転移電圧として利用することができるので、より短時間で液晶を転移させることができる。また、かかる構成とすると、ゲート電極を利用して積み上げ電圧を印加することができるので、積み上げ電圧印加手段の構成が簡素化される。
【００１０】
また上記課題を解決するために、本発明に係る液晶表示装置は、ベンド配向に転移可能な液晶層と、ベンド配向された該液晶層を透過する光によって画像を表示する複数の画素からなる表示画面と、画素電圧印加手段とを備え、該画素電圧の印加により上記光の透過率を変化させることによって上記画像情報に対応した画像を上記表示画面に表示する液晶表示装置であって、上記画素の液晶層が、画素電極と専用の容量線との間に形成されてなる容量結合を通じて該画素の液晶層に印加される電圧を利用してベンド配向に転移するものとしてもよい（請求項２）。
【００１１】
かかる構成とすると、通常の画素電圧印加手段によって印加される電圧に加えて、容量結合を通じて印加される電圧を転移電圧として利用することができるので、より短時間で液晶を転移させることができる。
【００１２】
これらの場合、上記転移動作に先立って上記画素の液晶層に電圧を印加しない休止期間を有するものとしてもよい（請求項３）。
【００１３】
かかる構成とすると、転移動作前に液晶層に電圧が印加されないので、転移を良好に行うことができる。
【００１４】
この場合、上記複数の画素をゲート電極を通じて順次走査するゲート駆動手段を有し、上記画素電圧印加手段が、上記走査される画素の液晶層に上記画像情報の画素の輝度情報に基づいた基電圧をソース電極を通じて印加するソース駆動手段、及び上記走査後に上記画素に上記容量結合を通じて上記基電圧とともに上記画素電圧を形成するように積み上げ電圧を印加する積み上げ電圧印加手段を有し、上記積み上げ電圧を上記画素の液晶層のベンド配向への転移に利用してなるものとしてもよい（請求項４）。
【００１５】
かかる構成とすると、画素電圧の大きさが過渡的に変化するよう構成することにより、ＣＣ駆動による積み上げ電圧を転移電圧の一部として利用することができるため、格段に高速化が可能でかつ転移時間の短縮が可能な液晶表示装置を得ることができる。
【００１６】
また、上記の場合、上記積み上げ電圧印加手段としての上記ゲート駆動手段が、上記転移時に全ての画素を順次走査しながら上記積み上げ電圧を各画素に印加するものであるとしてもよい（請求項５）。
【００１７】
かかる構成とすると、ゲート駆動手段を転移時にも表示時と同じモードで動作させることができる。
【００１８】
この場合、上記ソース駆動手段が交流の転移用の電圧値を有する上記基電圧を出力するものであり、上記ゲート駆動手段が、上記休止期間中には、上記画素毎に設けられたスイッチング素子が上記走査時及びそれ以外の時にそれぞれ導通及び遮断となる２つの電圧レベルを有するゲート信号を出力し、上記転移時には、上記２つの電圧レベルに加えて、上記走査の直後に上記基電圧の極性に対応する極性の上記積み上げ電圧を印加可能な２つの電圧レベルを有するゲート信号を出力するものであるとしてもよい（請求項６）。
【００１９】
かかる構成とすると、転移時には積み上げ電圧を画素の液晶に印加することができる一方、休止期間中は積み上げ電圧が発生しないようにすることができ、それにより、良好にかつ短時間で転移を行うことができる。
【００２０】
また、上記ソース駆動手段が直流の転移用の電圧値を有する上記基電圧を出力するものであり、上記ゲート駆動手段が、上記休止期間中には、上記画素毎に設けられたスイッチング素子が上記走査時及びそれ以外の時にそれぞれ導通及び遮断となる２つの電圧レベルを有するゲート信号を出力し、上記転移期間中には、上記２つの電圧レベルに加えて、上記走査の直後に上記基電圧の極性と同じ極性の上記積み上げ電圧を印加可能な１つの電圧レベルを有するゲート信号を出力するものであるとしてもよい（請求項７）。
【００２１】
かかる構成とすると、１つの極性の積み上げ電圧が発生するので効率良く積み上げ電圧を発生させることができる。
【発明の効果】
【００２２】
本発明によれば、高速駆動に対応可能な液晶表示装置を得ることができるという効果を奏する。
【図面の簡単な説明】
【００２３】
【図１】本発明の実施の形態１に係る液晶表示装置の構成を示すブロック図である。
【図２】図１の液晶表示の構成を模式的に示す断面図である。
【図３】図１の液晶表示素子の画素の構成を模式的に示す平面図である。
【図４】補助容量電極の構成を示す断面図である。
【図５】画素の等価回路を示す回路図である。
【図６】ゲート信号、ソース信号及び対向電圧を示すグラフである。
【図７】ゲート信号の変化と画素電圧の変化との関係を示すグラフであって、(a)は奇数フィールドにおける変化を示す図、(b)は偶数フィールドにおける変化を示す図である。
【図８】通常駆動における画素の等価回路を示す回路図である。
【図９】通常駆動による画素の透過率の変化を説明するためのグラフであって、(a)はゲート信号を示す図、(b)は画素電圧の変化を示すグラフ、(c)は書き込み期間から保持期間への移行時における画素電圧の変化を示すグラフ、(d)は画素における液晶の誘電率の変化を示すグラフ、(e)画素における透過率の変化を示すグラフである。
【図１０】本発明の実施の形態１による画素の透過率の変化を説明するためのグラフであって、(a)はゲート信号を示す図、(b)は画素電圧の変化を示すグラフ、(c)は書き込み期間から保持期間への移行時における画素電圧の変化を示すグラフ、(d)は画素における液晶の誘電率の変化を示すグラフ、(e)画素における透過率の変化を示すグラフである。
【図１１】液晶表示装置の階調間における応答速度を示すグラフである。
【図１２】階調間におけるRise time 及びDecay timeを示す表であって、(a)は通常駆動のＯＣＢ液晶モードの場合を示す表、(b)はＣＣ駆動のＯＣＢ液晶モードの場合を示す表、(c)はＣＣ駆動のＴＮ液晶モードの場合を示す表である。
【図１３】各階調間におけるRise time 及びDecay timeを視覚的に示す立体グラフであって、(a)はＣＣ駆動のＯＣＢ液晶モードの場合を示す表、(b)は通常駆動のＯＣＢ液晶モードの場合を示す表である。
【図１４】本発明の実施の形態１の変形例１による容量線の構成を示す平面図である。
【図１５】図１４のXV−XV断面図である。
【図１６】本発明の実施の形態１の変形例２による補償電圧印加装置の構成を示すブロック図である。
【図１７】本発明の実施の形態２に係る液晶表示装置におけるオフセット電圧の設定を示す画素電圧−透過率グラフである。
【図１８】本発明の実施の形態３に係る液晶表示装置の起動時における対向電圧の波形を示すグラフである。
【図１９】本発明の実施の形態３に係る液晶表示装置の起動時における対向電圧、ゲート信号、及びソース信号の波形を示すグラフであって、(a)は休止期間における波形を示すグラフ、(b)は転移電圧印加期間における波形を示すグラフである。
【図２０】本発明の実施の形態３の変形例による対向電圧、ゲート信号、ソース信号、及び画素電極の電圧の波形を示すグラフである。
【発明を実施するための形態】
【００２４】
以下、本発明の実施の形態を図面を参照しながら説明する。
【００２５】
実施の形態１  
図1は本発明の実施の形態１に係る液晶表示装置の構成を示すブロック図、図２は図１の液晶表示素子の構成を模式的に示す断面図、図３は図１の液晶表示素子の画素の構成を模式的に示す平面図、図４は補助容量電極の構成を示す断面図、図５は画素の等価回路を示す回路図である。
【００２６】
図１に示すように、液晶表示装置１は、液晶表示素子（液晶パネル）106と、バックライト18と、表示制御回路19とを有し、バックライト18から液晶表示素子106に表示用の光が供給され、表示制御回路19が映像信号14に応じて表示用の光を透過するよう液晶表示素子106を駆動することにより、該液晶表示素子106に映像信号14に応じた画像が表示されるように構成されている。
【００２７】
バックライト18は、点灯回路16によって駆動される光源15から導光板（図示せず）を介して液晶表示素子106に表示用の光を供給する。
【００２８】
表示制御回路19は、表示用コントローラ13、ゲートドライバ11、ソースドライバ12、及び照明用コントローラ17を有している。表示用コントローラ13は、映像信号14に応じてゲートドライバ11、ソースドライバ12、及び照明用コントローラ17に制御信号をそれぞれ出力する。ゲートドライバ11は、その制御信号に応じて、ゲート電極２を通じてゲート信号を出力することにより、液晶表示素子106の画素をゲート電極２毎に順次走査（選択）する。ソースドライバ12は、上記制御信号に応じて、上記ゲート信号にタイミングを合わせてソース信号を出力することにより、上記走査された画素にソース電極３を通じて該ソース信号を順次書き込む。これにより、表示用の光に対する各画素の透過率がソース信号に応じて変化し、それにより、液晶表示素子106に映像信号14に応じた画像が表示される。なお、照明用コントローラ17は、表示用コントローラ13からの制御信号に応じて、点灯回路16による光源15の駆動を制御する。
【００２９】
図２に示すように、液晶表示素子106は、ここではアクティブマトリクスタイプのもので構成され、互いに対向するように配置された対向基板101とＴＦＴ基板102との間に液晶103が挟持され、両基板101,102の外側に位相差板104及び偏光板105がこの順にそれぞれ配置されて構成されている。対向基板101の内面には対向電極８（図４参照）が形成され、該対向電極８の表面には配向膜（図示せず）が形成されている。図３をも併せて参照して、ＴＦＴ基板102の内面にはゲート電極２、ソース電極３、及び画素電極６等が形成され、これらを覆うように配向膜（図示せず）が形成されている。両基板101、102の配向膜には、互い平行な方向にラビング処理が施されている。図２はこのラビング方向に平行な断面を示している。そして、液晶としてネマティック液晶が用いられている。すなわち、液晶表示素子106では、ＯＣＢ液晶モードが採用されている。このＯＣＢ液晶モードにおいては、電圧を印加しない初期状態では液晶は分子がほぼ平行に並んだスプレイ配向をなしているが、これに比較的大きな電圧、例えば２５ｖ程度の電圧を印加すると表示状態であるベンド配向に転移する。図２はこのベンド配向状態を示している。
【００３０】
図３に示すように、ＴＦＴ基板102の内面には、複数の線状のゲート電極２と複数の線状のソース電極３とが直交するように形成され、その直交する両電極２，３によりマトリクス状に区画された領域が画素４を構成している。そして、全ての画素４の集合からなる領域が表示画面（図示せず）を構成している。各画素４にはそれぞれ画素電極６が形成され、各画素４毎にＴＦＴ（Thin film transistor)からなるスイッチング素子５が形成されている。スイッチング素子５は、そのソース及びドレインがソース電極３及び画素電極６にそれぞれ接続され、そのゲートがゲート電極２に接続されている。ゲート電極２には、図３の上方から下方に向かって順次ゲート信号が出力され、それにより、各ゲート電極２に接続された画素が該ゲート電極２毎に、順次走査される。以下、この走査の順序における前後を前段及び後段という。そして、各画素４において前段側のゲート電極２に容量結合するように補助容量電極７が配設され、画素電極６に接続されている。つまり、液晶表示素子106はいわゆる容量結合駆動法（以下、ＣＣ駆動という）が採用されている。このＣＣ駆動の詳細については、特開平２−１５７８１５号公報又はＡＭ−ＬＣＤ９５ Digest of Technical papers ５９頁を参照されたい。具体的には、図４に示すように、ＴＦＴ基板102上にゲート電極２が形成され、そのゲート電極２が形成されたＴＦＴ基板102の表面を覆うように絶縁層９が形成されている。そして、その絶縁層９の画素内に位置する部分を覆うように画素電極６が形成され、さらに該絶縁層９のゲート電極２上に位置する部分及びこれに隣接する画素電極６の縁部を覆うように絶縁層10が形成されている。そして、この絶縁層10上に補助容量電極７が形成され、コンタクトホール41によって後段側の画素電極６に接続されている。このような構造とすることにより、画素４の等価回路は、図５に示すように、ソース電極３にスイッチング素子５が接続され、該スイッチング素子５と対向電極８との間に液晶容量Clcが接続され、スッチング素子５と前段側のゲート電極２との間に補助容量Cstが接続されたものとなっている。なお、Cgdは、画素電極６とゲート電極２との間の浮遊容量を示している。
【００３１】
次に、以上のように構成された液晶表示装置１の動作を説明する。  
図６はゲート信号、ソース信号及び対向電極の電位を示すグラフ、図７はゲート信号の変化と画素電圧の変化との関係を示すグラフであって、(a)は奇数フィールドにおける変化を示す図、(b)は偶数フィールドにおける変化を示す図である。
【００３２】
図１及び図６に示すように、対向電極の電位（以下、対向電圧という）Vcomは一定に設定されている。一方、液晶表示素子106は交流駆動されている。つまり、ソースドライバ12は、対向電圧Vcomに対し、同一ソース電極３に接続された各画素毎に交互に正及び負の値を取るようなソース信号Ssを出力する。また、このソース信号Ssは、１画面、すなわち１フィールド毎に対向電圧Vcomに対する極性が反転する。本実施の形態では、対向電圧Vcomは３ｖに設定されている。また、ソース信号Ssの振幅（基電圧）Vsは３ｖに設定され、従って、ソース信号Ssは交互に６ｖ及び０ｖの値を取る。
【００３３】
一方、ゲートドライバ11は、以下のようなゲート信号Sgを出力する。すなわち、このゲート信号Sgは、書き込み期間TaにおいてVgonとなり、該書き込み期間Taに続く積み上げ期間Tpに、奇数フィールドにおいてはVge1、偶数フィールドにおいてはVge2となり、かつ該書き込み期間Ta及び積み上げ期間Tpを除いた残りの期間TrにVg0ffとなる。ここで、Vge1はVg0ffよりVge(+)だけ高い電圧に、Vge2はVg0ffよりVge(-)だけ低い電圧に設定されている。そして、Vg2はもちろんVge1もスイッチング素子５が遮断状態（高抵抗状態）となるような電圧に設定されている。また、積み上げ期間Tpは、書き込み期間の２倍強の期間に設定されている。本実施の形態では、ゲート信号SgのVgonは正の所定値、Vgoffは−１０ｖ、Vge1は−３ｖ、Vge(+)は７ｖ、Vge2は−１８ｖ、Vge(-)は−８ｖにそれぞれ設定されている。
【００３４】
これにより、任意の画素においては、図３及び図７に示すように、書き込み期間Taにおいて、スイッチング素子５が導通状態（低抵抗状態）となり、画素電極６がソース信号Ssの電圧Vsに充電される。それにより、画素４にソース信号Ssが書き込まれる。ここで、奇数フィールドの場合、ここでは画素電圧Vp'が正から負に変化するが、この場合には、図７(a)に示すように、画素４にソース信号Ssが書き込まれた時、前段側のゲート電極２にはVge1の電圧が印加されている。また、画素電極６には、液晶に本来印加される電圧（後述する設定画素電圧Vp）よりも小さい電圧が印加されている。次いで、積み上げ期間Tpに移行すると、当該段のゲート電極３の電圧がVge2に下がり、それにより、スイッチング素子５が遮断状態となる。一方、前段側のゲート電極３の電圧はVgoffに下がる。つまり、Vge(+)だけ下がる。すると、スイッチング素子５が遮断状態にあり、かつ画素電極６が補助容量Cstによって前段側のゲート電極３に結合されているため、このゲート電極３の電圧に連動して画素電極６の電位も下がる。この電圧変化量（以下、補償電圧又は積み上げ電圧という）Vccは、後述する式に示すような値となる。
【００３５】
また、偶数フィールドの場合、ここでは画素電圧Vp'が負から正に変化するが、この場合には、図７(b)に示すように、画素４にソース信号Ssが書き込まれた時、前段側のゲート電極２にはVge2の電圧が印加されている。次いで、積み上げ期間Tpに移行すると、当該段のゲート電極３の電圧がVge1に下がり、それにより、スイッチング素子５が遮断状態となる。一方、前段側のゲート電極３の電圧がVgoffに上がる。つまり、Vge(-)だけ上がる。すると、ゲート電極３の電圧に連動して画素電極６の電位が補償電圧Vccだけ上がる。この場合及び上記の場合における補償電圧Vccは、以下の式に示すものとなる。
【００３６】
Vcc＝Cst／（Cst＋Cgd＋Clc）×（Vge(+) or Vge(-)）  
そして、通常、画素電極６には、この補償電圧Vccを見越した電圧、すなわち、  
Vp'＝Vs＋Vcc  
が印加される設計になっている。
【００３７】
このような液晶表示素子の駆動法がＣＣ駆動である。このＣＣ駆動を用いるとＴＮ液晶では応答速度がある程度速くなることが知られている。これは、誘電率異方性に起因するものである。  
今、任意の画素において、液晶表示素子の透過率（以下、単に透過率という）が１００％から０％まで変化する場合を考える。表示モードは、ノーマリーホワイトモードであると仮定する。そうすると、透過率が１００％である場合、液晶に印加される電圧は低く、液晶の誘電率は小さい。逆に、透過率が０％である場合、液晶に印加される電圧は高く、誘電率は大きい。
【００３８】
液晶分子の応答は、画素電極の充電よりも時間を要するため、該画素電極の充電（ソース信号の書き込み）に対し時間遅れが発生する。
【００３９】
充電当初（正確には書き込み期間の終了直後）に画素電極に印加される電圧（以下、画素電圧という）Vp'は、  
Vp'（当初値）＝Vs＋Cst／(Cst＋Cgd＋Clc(100)）×Vge(+)  
となるが、これが液晶の応答によって、  
Vp'（飽和値）＝Vs＋Cst／（Cst＋Cgd＋Clc(0)）×Vge(+)  
に変化する。
【００４０】
ここで、Clc(100)は透過率が１００％である場合の液晶容量、Clc(0)は透過率が０％である場合の液晶容量である。この液晶容量においては、  
Clc(100)＜Clc(0)  
の関係があるため、  
Vp'（当初値）＞Vp'（飽和値）  
の関係になる。
【００４１】
この場合、Vp'（飽和値）が、本来、画素電極６に印加されるべき電圧、すなわち、設定画素電圧Vpである。そして、この設定画素電圧Vpが、映像信号の画素毎の輝度情報（階調）に対応する電圧である。
【００４２】
そして、ここでは透過率が１００％から０％まで変化するので、液晶に印加される電圧は低い状態から大きい状態に変化する。その際、充電当初に、過渡的にではあるが、液晶に対してVp'（当初値）のような高電圧が印加されるので、この過渡的な高電圧によって液晶の応答速度が高速化される。
【００４３】
また、上記とは逆に、透過率が低くて暗い状態から透過率が比較的高くて比較的明るい中間階調状態に変化する場合には、液晶に印加される電圧は高い状態から比較的低い状態に変化する。しかし、この場合には、Vp'（当初値）＜Vp'（飽和値）の関係になるので、充電当初に、液晶に対してVp'（当初値）という低い電圧が過渡的に印加される。従って、この場合にも、液晶の応答速度が高速化される。
【００４４】
次に、本発明の特徴をより明確にするために、本発明を通常駆動法（以下、単に通常駆動という）と対比して説明する。
【００４５】
図８は通常駆動における画素の等価回路を示す回路図、図９は、通常駆動による画素の透過率の変化を説明するためのグラフであって、(a)はゲート信号を示す図、(b)は画素電圧の変化を示すグラフ、(c)は書き込み期間から保持期間への移行時における画素電圧の変化を示すグラフ、(d)は画素における液晶の誘電率の変化を示すグラフ、(e)画素における透過率の変化を示すグラフ、図１０は本実施の形態による画素の透過率の変化を説明するためのグラフであって、(a)はゲート信号を示す図、(b)は画素電圧の変化を示すグラフ、(c)は書き込み期間から保持期間への移行時における画素電圧の変化を示すグラフ、(d)は画素における液晶の誘電率の変化を示すグラフ、(e)画素における透過率の変化を示すグラフである。
【００４６】
まず、通常駆動では、図８に示すように、補助容量電極が容量線（図示せず）と容量結合するように配設され、その容量線が対向電極８に接続されている。その結果、画素の等価回路は、補助容量Cstが液晶容量Clcと並列に接続されたものとなっている。
【００４７】
この通常駆動の動作を説明する。ここでは、液晶に印加される電圧（画素電圧vp'）が高い状態から低い状態に急激に変化した場合について説明する。図９(a),(c)に示すように、ゲート信号が画素に出力されると、その電圧が高い値を示す書き込み期間Taにおいてスイッチング素子が導通状態となり、画素電極がソース信号の電圧に充電される。この書きこみ期間Taは、例えば２０μｓといった値であり、極めて短い。しかし、液晶分子の応答時間はたとえＯＣＢモードの液晶であっても数ｍｓのオーダの値であり、充電時間に比べて長い。上述のように液晶の誘電率は液晶分子の応答に従って変化するため、これも応答は遅い。よって、充電初期では、液晶に印加される電圧、すなわち画素電圧Vp'は、図９(b)に示すように変化するが、このときの液晶の誘電率は、図９(d)に示すように、高電圧時の高い状態のままである。次いで、スイッチング素子が遮断状態となって保持期間に移行すると、液晶の分子が応答し、それにより誘電率が変化する。この誘電率の変化によって電荷の再分配が発生し、図９(b),(c)に示すように画素電圧Vp'が変化する。これにより、画素電圧Vp'が、設定画素電圧Vpよりもずれた値となる。その結果、図９(e)に示すように、透過率が１フィールド期間Tfを超え多フィールドに渡って徐々に変化する。つまり、液晶の応答が遅いものとなる。ここで、画素電圧Vp'は下式で示すものとなる。
【００４８】
Vp'＝（Cst＋Clc(0)）／（Cst＋Clc(100)）×Vp  
つまり、通常駆動では、液晶の誘電率の変化が液晶の応答を損なうように画素電圧Vp'を変化させるような構成となっていたのである。
【００４９】
そこで、本実施の形態は、液晶の誘電率の変化が液晶の応答速度を速めるように画素電圧Vp'を変化させるようにしたものである。つまり、図１０(a)に示すように、ゲート信号がパルス状である点は通常駆動と同様であるが、図１０(b)に示すように、書き込み期間Ta終了直後の保持期間Thの初期に、上述の補償電圧Vccが補助容量Cstを介してゲート電極から画素電極に印加される。このとき、液晶の誘電率は、図１０(d)に示すように、やはり緩やかに変化し、それによって、図１０(b)に示すように、補償電圧Vccが変化するのであるが、この誘電率の変化に伴う補償電圧Vccの変化が液晶の応答を早めるように作用する。そのため、図１０(e)に示すように、透過率は、応答が遅くなるようなことはなく、むしろ一時的にオーバーシュートするくらいの速さで変化する。これには透過率の変化を強調する効果もある。これにより、液晶は、１画面、すなわち１フィールド期間Tf内で応答を終えることができる。
【００５０】
このように、補償電圧を、応答を早める方向に印加することが本発明の特徴なのであり、さらにこの補償電圧の印加を液晶容量の変化を用いて自動的に行ったのがＣＣ駆動なのである。
【００５１】
次に、本実施の形態に係る液晶表示装置の効果を説明する。ＯＣＢ液晶モードは高速であることが特徴であるが、通常駆動ではＯＣＢ液晶モードをもってしても１フィールド以内での応答は困難であった。これは、上述のように誘電率の変化による阻害作用が存在したからである。そこで、本発明ではＯＣＢ液晶モードとＣＣ駆動とを組み合わせることで、確実に１フィールド期間以内となる応答を実現することができた。
【００５２】
図１１は液晶表示装置の階調間における応答速度を示すグラフ、図１２は階調間におけるRise time 及びDecay timeを示す表であって、(a)は通常駆動のＯＣＢ液晶モードの場合を示す表、(b)はＣＣ駆動のＯＣＢ液晶モードの場合を示す表、(c)はＣＣ駆動のＴＮ液晶モードの場合を示す表である。
【００５３】
図１２に示すように、本実施の形態に係る液晶表示装置の効果を確認するために、通常駆動のＯＣＢ液晶モード、ＣＣ駆動のＯＣＢ液晶モード（本実施の形態）、及びＣＣ駆動のＴＮ液晶モードについて、各階調間におけるRise time 及びDecay timeを測定した。この測定は、通常駆動のＯＣＢ液晶モードの場合は室温、ＣＣ駆動のＯＣＢ液晶モード及びＣＣ駆動のＴＮ液晶モードの場合は３２℃において行った。図１２(a),(b),(c)の各表において、右上半分はDecay time(τd)を、左下半分はRise time(τr)をそれぞれ示している。また、各階調のレベルを表す数値は、画面の輝度における黒表示レベルを０、同じく白表示レベルを１００としたときのパーセンテージを表している。この測定結果を判りやすくするために、対象階調に対する応答速度のグラフに表したものが図１１である。ここで、対象階調は、応答速度の算出対象である２つの階調を意味している。また、応答速度は、その２つの階調のうちの一方から他方へのRise timeと他方から一方へのDecay timeとの和を意味している。液晶表示装置においては、その応答速度をこのようにRise timeとDecay timeとの和で表すのが通例である。具体例を示すと、通常駆動のＯＣＢ液晶モードにおいて（図１２(a)）、対象階調が０レベルのものと２５レベルのものである場合（図１１において０−２５のように表す）、応答速度は、０．９２(τr)＋３．２(τd)＝４．１２［ｍｓ］となる。
【００５４】
図１１において、通常駆動のＯＣＢ液晶モードの特性は、曲線Ｂで示される。この曲線Ｂから明らかなように、この通常駆動のＯＣＢ液晶モードの応答速度は、中間階調では実用上未だ遅いと言わざるを得ない。つまり、ＣＲＴ並みの動画の切れを出すためには黒画面を挿入する必要があるが、そのためには、通常のフィールド周波数の６０Ｈｚよりも速い周波数で映像信号を書き込み、余った時間に黒画面を挿入する必要がある。できれば、必要とされる動画の切れを出すために、黒画面の挿入時間を１フィールド期間の少なくとも半分以上とすることが望ましく、これを実現するためには、１２０Ｈｚの周波数で映像信号を書き込む必要がある。このためには、８ｍｓ以下の応答速度を実現する必要がある。また、液晶表示素子をバックライトと連動させたり、あるいは低温でも高速応答を実現させたりしようとすると、さらなる高速化が要求される。本明細書では、この１２０Ｈｚの周波数で映像信号を書き込むことを、特に「倍速駆動」と呼ぶ。
【００５５】
これに対し、通常駆動のＯＣＢ液晶モードでは、階調間の応答速度は、最大１２．８ｍｓであった。従って、通常の６０Ｈｚのフィールド周波数での映像信号の書き込みのみならず「高速駆動」にも部分的には対応することができるが、切れのよい動画表示が可能な１２０Ｈｚでの映像信号書き込み、すなわち、「倍速駆動」には全く対応することができず、テレビ、モニタ等の用途において、実用に供することはできない。
【００５６】
これに対し、ＣＣ駆動のＯＣＢ液晶モードの特性は、図１１において曲線Ａで示されるが、この曲線Ａから明らかなように、階調間の応答速度は最大６ｍｓ以下（正確には５．４ｍｓ以下）であった。この応答速度は、通常駆動のＯＣＢ液晶モードに比べて半分以下であり、しかも、切れのよい動画表示が可能な１２０Ｈｚの周波数の映像信号書き込み期間（以下、画像情報書き込み期間という）に相当する８ｍｓを十分下回るものであった。従って、本実施の形態による液晶表示装置は、「高速駆動」のみならず「倍速駆動」が可能であり、その結果、応答速度に関して、テレビ、モニタ等の用途において、十分実用に供することが可能となっている。つまり、本実施の形態の液晶表示装置によって初めて、応答速度において実用的な動画表示が可能となったのである。
【００５７】
なお、現在広く用いられている通常駆動のＴＮ液晶モードの特性は、図１１において曲線Ｃで示されるが、この液晶モードでは、通常の６０Ｈｚの周波数のフィールド期間以下の時間で応答可能な階調範囲が極めて少なく、「倍速駆動」はもとより、「高速駆動」にも十分対応することができない。従って、その応答速度は動画を表示するには不十分である。
【００５８】
図１３は各階調間におけるRise time 及びDecay timeを視覚的に示す立体グラフであって、(a)はＣＣ駆動のＯＣＢ液晶モードの場合を示す表、(b)は通常駆動のＯＣＢ液晶モードの場合を示す表である。
【００５９】
図１３は、図１２の測定に比べて段階の刻みをより細かくした階調の相互間におけるRise time 及びDecay timeを測定したものである。各階調のレベルは、黒表示を０、白表示を２５５とした場合の画面の輝度における段階で表されている。
【００６０】
図１３から明らかなように、ＣＣ駆動のＯＣＢ液晶モードは、通常駆動のＯＣＢ液晶モードに比べて、特に、Decay time、すなわち液晶が緩和される方向における応答時間において高い効果を奏する。また、ＣＣ駆動のＯＣＢ液晶モードでは、応答時間がいずれの階調間でも３ｍｓ程度以下になっている。これを応答速度（τr＋τd）で見ると、６ｍｓ以下となっている。さらに、階調間格差も、通常駆動のＯＣＢ液晶モードに比べて格段に少なくなっている。これは、最も応答が遅くなる、黒表示レベルから白表示レベルへの変化の際に、最も大きな補償電圧が自動的に画素電極に印加されるためである。このように、階調の段階の刻みを細かくした場合でも、本実施の形態による液晶表示装置は、テレビ、モニタ等の用途に実用可能な応答速度を有している。
【００６１】
次に、本実施の形態による液晶表示装置の温度特性について説明する。ＣＣ駆動のＯＣＢ液晶モードでは、「倍速駆動」が可能な低温限界は１０℃であった。但し、この１０℃という温度は、バックライト等で暖められた液晶表示素子の温度を指しており、この場合の環境温度は０℃であった。よって、本実施の形態による液晶表示装置では、室温以下でも十分良好な「倍速駆動」を実現することができた。なお、通常駆動のＯＣＢ液晶モードでは、６０Ｈｚのフィールド周波数の駆動が可能な低温限界は２５℃であり、それ以下の温度ではその６０Ｈｚのフィールド周波数の駆動すら困難であった。
【００６２】
次に、本実施の形態の好ましい条件について説明する。ＣＣ駆動による高速化は、上述したように補償電圧Vccの重畳と誘電異方性による画素電圧Vp'の変化によってもたらされる。そのため、誘電率の異方性が大きい方が好ましい。本実施の形態では、誘電率が、全電圧下で１１、無電圧下で５、黒表示電圧下で１０、白表示電圧下で７となるような液晶材料を用いた。この液晶材料の選択に際しての重要なパラメータは、黒表示電圧下における誘電率と白表示電圧下における誘電率との比（以下、誘電比という）であり、これが大きいほど効果的である。本実施の形態では、この誘電比が１．４である液晶材料を用いた。この誘電比は１．２以上であれば高速化の効果が現れ、１．４以上であれば、画像情報書き込み期間の周波数が１２０Ｈｚの「倍速駆動」に適用することができた。ＴＮ型の液晶では、通常、誘電比が２以上であるが、ＯＣＢ型の液晶は、白表示時においても分子がかなり立った状態で用いるため、誘電比は小さ目になる。これは、液晶材料の選択上の大きな制約となる。しかし、本実施の形態では、誘電率異方性が大きい液晶材料を選ぶことで誘電比の向上を実現した。本実施の形態で用いた液晶材料の誘電率は、ε垂直＝３．７、ε平行＝１１．５であった。従って、誘電率異方性Δε＝ε平行−ε垂直＝７．８であった。この液晶材料の選択については、Δε＞６．５以上であれば誘電比が１．２以上となって高速化の効果が現れ、Δε＞７．７以上であれば誘電比が１．４以上となって「倍速駆動」に適用可能であった。
【００６３】
また、ＣＣ駆動で重要な他のパラメータは、補助容量Cstと液晶容量Clcとの比であり、補助容量Cstが大きいほど効果的である。本実施の形態では、この容量比＝Cst／Clcを１に設定した。高速化の効果を奏するためには、この容量比を０．７以上とすることが好ましく、さらに、「倍速駆動」に適用するためには、これを１以上とするのが望ましい。
【００６４】
以上のように、本実施の形態によれば、液晶表示素子の応答時間を従来の駆動法の１／２以下に低減することができる。これはＴＮ液晶モードの経験則から考えれば非常に大きな効果である。これは、液晶の誘電率の変化に対する透過光量の変動量がＯＣＢ液晶モードでは大きいことが影響しているためと考えられる。つまり、本実施の形態による効果は、単にＣＣ駆動による高速化の効果とＯＣＢ液晶モードによる高速化の効果との和ではなく、ＣＣ駆動の構成とＯＣＢ液晶モードの上記のような特性とがマッチしたことによる両者の相乗効果によるものであると考えられる。また、誘電率の異方性を大きくすることで、この高速化の効果をさらに向上できることが確認された。
【００６５】
次に、本実施の形態における変形例を説明する。
【００６６】
［変形例１］  
画素電極への補償電圧供給方式は、前段側ゲート方式には限られない。補償電圧は、基本的に、画素電極に容量的に結合された電極から供給されればよい。
【００６７】
図１４は本変形例による容量線の構成を示す平面図、図１５は図１４のXV−XV断面図である。図１４に示すように、本変形例では、ＴＦＴ基板102の内面に、ゲート電極２と平行に独立の容量線31が形成されている。この容量線31は各ゲート電極２に対応して形成されている。この容量線は、図１５に示すように、絶縁層９で覆われるようにしてＴＦＴ基板102上に形成され、該絶縁層９上に画素電極６が形成されている。従って、容量線31の画素電極６の下方に位置する部分31aと該画素電極６との間に補助容量が形成されている。そして、一般の容量線は対向電極８に接続されるのが通例であるが、この容量線31は専用のドライバ（図示せず）に接続されている。これは、この容量線31にはゲート電極２の走査に同期して所定の電圧を印加しなければならないため、この容量線31を独立して駆動する必要があるからである。その結果、ゲート側のドライバ数が増加することになるが、これらのドライバをポリシリコンで形成することにより、このドラバ数の増加による負担は軽減される。この容量線31には、図６において前段側ゲート電極に印加されるVg(+)及びVg(-)に相当する電圧が、図６の場合と同じタイミングで上記専用ドライバによって印加される。それにより、図６の場合と同様の効果が得られる。
【００６８】
［変形例２］  
上記構成例では、容量結合されたゲート電極から補償電圧を供給することで該補償電圧を自動的に重畳するよう構成されているが、本発明の本質は、補償電圧を液晶表示素子の透過率の変化が加速されるような方向に印加することにあるので、上述した容量結合を用いずともこれを実現することは可能である。そこで、本変形例では、そのような補償電圧印加回路を構成したものである。
【００６９】
図１６に本変形例による補償電圧印加装置の構成を示す。図１６において、補償電圧印加装置30は、例えば、複数（ここでは２つ）のフィールドメモリ32,33を備え、これに映像信号14の相前後する１画面（１フィールド）分の画像情報をそれぞれ蓄積し、差分演算回路34において各フィールドメモリ32,33に蓄積された画像情報の画素の階調（輝度情報）の差分を算出し、補償電圧生成回路35においてその階調の差分に対応する値の補償電圧を生成し、ソースドライバ12において映像信号14の上記後のフィールドの画素の階調に基づく基電圧（図６のソース信号の電圧Vs）に上記補償電圧を重畳した電圧（ソース信号）を液晶表示素子106に供給するように構成されている。現状では、フィールド間の各画素の階調の差分の演算には多大な計算量が必要であるため、演算速度の点でこれを実現することは困難である。しかし、近い将来にはコントローラチップ内で処理できる程度にまで半導体の小型化及び高速化が進むと思われるので、そうなれば、この構成を実現することが可能になると思われる。
【００７０】
［変形例３］  
本実施の形態によればＣＣ駆動のＯＣＢ液晶モードとすることによりさらなる高速化が可能であるが、本変形例は、この構成に、フィールド期間内に黒画面を挿入する構成を組み合わせたものである。このような構成とすると、動画の切れ、すなわち視認性が向上する。ここで、本明細書では、フィールド期間とは、１画面分の画像情報（ここでは映像信号）を一定周期で書き込むその周期を意味する。また、フィールド期間内において、１画面分の画像情報を全画素に順次書き込む期間を画像情報書き込み期間という。また、フィールド期間内において、黒画面を書き込む期間を黒画面挿入期間という。本変形例では、画像情報書きこみ時間がフィールド期間の９０％よりも小さいときに効果的であった。例えば、黒画面挿入期間をフィールド期間の１０％以上に設定すると、液晶がスプレイ配向に戻り難くなる、すなわち逆転移防止の効果があった。また、画像情報書きこみ期間をフィールド期間の半分以下に設定すると、残りの期間を黒画面挿入期間とすることができるので、視認性をさらに向上することができる。なお、黒画面表示用の電圧は、黒レベル用又は略黒用の電圧、及び黒レベル用以上の電圧のいずれであってもよい。
【００７１】
［変形例４］  
本変形例は、フィールド期間内の黒画面挿入期間にバックライトを消灯させるようにしたものである。具体的には、図１の構成において、照明用コントローラ17が、黒画面挿入期間の全期間に渡って光源15をオフするよう点灯回路16を制御する。このような構成とすると、黒画面挿入による視認性の向上と消費電力の低減との双方を達成することができる。
【００７２】
［変形例５］  
本変形例は、ＣＣ駆動のＴＮ液晶モードによる液晶表示装置において、セル厚を３μｍ以下にしたものである。このような構成とすると、セル厚が小さくなる分、液晶内に生じる電界強度が大きくなるので、それにより、高速応答が可能になる。そして、特にセル厚が３μｍ以下の場合には、上記ＣＣ駆動のＯＣＢ液晶モードの場合と同様に「倍速駆動」が可能であった。なお、この構成において、液晶材料を、誘電率異方性及び誘電比について上記と同様に選択することにより、さらに応答の高速化が可能であることは言うまでもない。
【００７３】
実施の形態２  
実施の形態１で用いたＣＣ駆動は、高速化以外にも駆動電圧を最適化できるメリットがある。そこで、本発明の実施の形態２は、このＣＣ駆動を利用してオフセット電圧を印加するようにしたものである。
【００７４】
図１７は本実施の形態に係る液晶表示装置におけるオフセット電圧の設定を示す画素電圧−透過率グラフである。
【００７５】
本実施の形態による液晶表示装置の全体構成は、実施の形態１と同様である。但し、本実施の形態では、実施の形態１と異なり、図７の補償電圧（以降、これを積み上げ電圧という）Vccの値がオフセット電圧を見込んだ値に設定されている。ここで、オフセット電圧とは、図１７に示すように、ベンド配向した液晶に、スプレイ配向への逆転移防止を目的として印加される電圧をいう。本実施の形態では、このオフセット電圧が２ｖに設定されている。なお、容量結合される電極はゲート電極でも独立の容量線でもよい。この点は実施の形態１と同様である。このような構成とすると、ＣＣ駆動を利用して液晶の逆転移を防止することができるので、逆転移を防止するための構成が簡素化される。
【００７６】
つまり、ＯＣＢ型液晶表示装置では、低電圧にしすぎるとスプレイ配向が発生するという課題が存在する。このため、一般には、画素電圧を一定値よりも下げない駆動法が用いられている。このような駆動法の好ましいものとして、例えば、対向電極の電位を交流の矩形波状に変化させてオフセット電圧を印加することが考えられる。
【００７７】
しかし、この駆動法は、小型の液晶パネル（液晶表示素子）には適しているが、大型の液晶パネルには適していない。これは、液晶パネルの容量が大きくなり過ぎることから、充電時のＣＲ時定数が大きくなり過ぎるためである。本件発明者の検討結果では１０型以上の液晶パネルでは上記駆動法によるオフセット電圧の印加は事実上不可能であった。さらに、１５型以上の液晶パネルでは、ＣＣ駆動以外の手法ではオフセット電圧の印加を実現できなかった。ここで、○型とは、液晶パネルの略矩形の表示画面の対角線の長さが○インチであることをいう。
【００７８】
そこで、本実施の形態のようにＣＣ駆動を利用してオフセット電圧を印加するようにしたものである。
【００７９】
ところで、ＯＣＢ型液晶表示装置では、スプレイ配向へ逆転移する電圧がプレチルト角に依存する。プレチルト角が１５度の場合、この逆転移電圧は１ｖであった。本件発明者の検討によれば、一般的なＯＣＢ型液晶パネルでは、１ｖ以上のオフセット電圧が必要であった。但し、１フィールド内に黒画面を挿入する場合には、もっと低いオフセット電圧もよかった。つまり、黒画面を挿入すると液晶に一時的に低い電圧が印加されてもベンド配向は保たれる。しかし、これはスプレイ配向に逆転移する臨界電圧が下がるだけであり、常にオフセット電圧を印加しておく必要があることに変わりはない。なお、この場合のオフセット電圧は１ｖよりも低くても構わない。  
実施の形態３  
本発明の実施の形態３は、液晶表示装置の起動時におけるスプレイ配向からベンド配向への転移にＣＣ駆動を利用したものである。
【００８０】
図１８は本実施の形態に係る液晶表示装置の起動時における対向電圧の波形を示すグラフ、図１９は同じく対向電圧、ゲート信号、及びソース信号の波形を示すグラフであって、(a)は休止期間における波形を示すグラフ、(b)は転移電圧印加期間における波形を示すグラフである。図１８、図１９において、図６と同一符号は同一又は相当する部分を示す。
【００８１】
本実施の形態による液晶表示装置は、実施の形態１の構成において、起動時に対向電圧、ゲート信号、及びソース信号が以下に説明するような波形で出力される。また、対向電極を駆動するためのドライバを備えている。
【００８２】
図１８に示すように、液晶表示装置が起動されると、対向電極には、所定の転移期間T3に渡って０．５〜１０Ｈｚの低周波交流波形の対向電圧Vcomが印加される。この交流波形の対向電圧Vcomは、３ｖの値を取る休止期間T1と−２５ｖの値を取る転移電圧印加期間T2とが交互に繰り返されような波形を有している。ここで、３ｖの値を取るのは、後述するように、液晶に電圧が印加されないようにするためである。
【００８３】
図１９をも併せて参照して、ゲート電極には、転移電圧印加期間中にもゲート信号Sgが出力される。このゲート信号Sgとして、休止期間T1中は図１９(a)に示すようにVgon,Vgoffの２値を取る信号が出力され、転移電圧印加期間T2中は図１９(b)に示すように転移後（図６参照）と同じ４値信号が出力される。このため、転移電圧印加期間T2においては、積み上げ電圧Vccが画素電極に印加され、通常の駆動法では＋３−（−２５）＝２８ｖの転移電圧しか液晶に印加することができないところが、実効的に３０ｖ以上の転移電圧を液晶に印加することができた。これは、積み上げ電圧Vccが２ｖ以上発生したためである。また、ゲート信号SgがVge2の値を取る場合には、特に大きな積み上げ電圧Vccが発生し、その分、より大きな転移電圧を印加することができた。このことから、ゲート信号Sgとして、転移電圧印加期間T2中は、Vgon,Vgoff,Vge2の３値を取る信号を出力するのが望ましい。但し、この場合は、ゲート信号Sgの波形が転移後の波形とは異なるものとなるため、ゲートドライバに別ルーチンのワークを課すことになる。
【００８４】
一方、休止期間T1においては上記２値信号が出力されるが、これは以下の理由によるものである。つまり、転移を良好に行うためには、休止期間T1には液晶に電圧を印加しないことが望ましい。ところが、転移電圧印加期間T1中と同様に４値信号を出力すると、CC駆動によって積み上げ電圧Vccが液晶に印加されてしまう。そこで、この積み上げ電圧Vccが発生しないよう、休止期間T1のゲート信号Sgを上記のような２値信号としたものである。
【００８５】
また、ソース信号Ssは、少なくとも休止期間T1中は対向電圧Vcomと同じ電圧を有している。これは、休止期間T1中に液晶に電圧が印加されないようにするためである。本実施の形態では、ソース信号Ssは、転移期間T3中は休止期間T1も転位電圧印加期間T2も共に３ｖの一定値となっている。
【００８６】
本実施の形態では、以上のように構成することにより、転移を高速化することができた。具体的には、従来３秒であった転移時間を２秒にまで短縮することができた。
【００８７】
なお、先行技術として、特開平９−１８５０３７号公報に開示されたものがあるが、これはゲート電圧を常にHighレベルにして転移電圧を印加している。これに対し、本実施の形態では、ゲート電極の走査を表示状態（転移後）と同様に行うことで、積み上げ電圧Vccを転移時にも有効に利用し、転移を効率的に行うものである。
【００８８】
次に、本実施の形態の変形例を説明する。図２０は本変形例による対向電圧、ゲート信号、ソース信号、及び画素電極の電圧の波形を示すグラフである。
【００８９】
本変形例では、休止期間T1ではソース信号Ss及び対向電圧Vcomが共に０ｖとなっており、液晶に電圧が印加されないようになっている。そして、転移電圧印加期間T2では、対向電圧Vcomが−２０ｖと大きく負側に振られ、ソース信号Ssは逆に＋７ｖと正側に振られている。また、ゲート信号Sgは、図２０の点線内拡大図に示すような３値信号となっており、そのため、ＣＣ駆動による積み上げ電圧Vccが画素電極に印加されている。その結果、画素電極ではソース信号Ssの電圧７ｖに積み上げ電圧Vccが積み上げられ、その電位が＋１０ｖとなっている。これにより、画素電圧が３０ｖもの高い電圧となり、これを液晶に印加することができた。また、転移電圧印加期間T2中のゲート信号Sgが３値信号であるので、片側極性のみの積み上げ電圧Vccが重畳され、積み上げ電圧Vccが３ｖ程度と大きなものとなっている。なお、転移電圧印加期間T2は、ここでは１秒に設定されている。また、休止期間T1中にはゲート信号Sgが２値信号とされるのは上記構成例と同様である。また、休止期間T1中ではソース電極と対向電極とが同電位であれば、両者の電位が共に変化しても構わないが、それらを一定に保つのが最も安定であった。
【００９０】
なお、上記実施の形態１〜３においては、電極部として基板内面に導電性材料からなる層状の電極を形成したが、本発明における電極部はこの電極には限定されない。例えば、この電極と液晶との間に、光を照射することによりその電気的性質が絶縁性と導電性との間で切り替る電気特性可変体を配置し、この電気特性可変体と上記電極とで電極部を構成するようにしてもよい。
【産業上の利用可能性】
【００９１】
本発明に係る液晶表示装置は、高速駆動を要する動画対応液晶ディスプレイ等の用途にも適用できる。
【符号の説明】
【００９２】
１…液晶表示装置、２…ゲート電極、３…ソース電極、４…画素、５…スイッチング素子、６…画素電極、７…補助容量電極、８…対向電極、９…絶縁層、１０…絶縁層、１１…ゲートドライバ、１２…ソースドライバ、１３…表示用コントローラ、１４…映像信号、１５…光源、１６…点灯回路、１７…照明用コントローラ、１８…バックライト、１９…表示制御回路、３０…積み上げ電圧印加回路、３１…容量線、３２，３３…フィールドメモリ、３４…差分演算回路、３５…補償電圧生成回路、４１…コンタクトホール、１０１…対向基板、１０２…ＴＦＴ基板、１０３…液晶、１０４…位相差板、１０５…偏光板、１０６…液晶表示素子、Ｃｇｄ…画素電極とゲート電極との間の浮遊容量、Ｃｌｃ…液晶容量、Ｃｓｔ…補助容量、Ｓｇ…ゲート信号、Ｓｓ…ソース信号、Ｔ１…転移電圧印加期間、Ｔ２…休止期間、Ｔ３…転移期間、Ｔａ…書き込み期間、Ｔｆ…フィールド期間、Ｔｈ…保持期間、Ｔｐ…積み上げ期間、Ｔｒ…残りの期間、Ｖｃｃ…積み上げ電圧（積み上げ電圧）、Ｖｃｏｍ…対向電圧、Ｖｐ…設定画素電圧、Ｖｐ′…画素電圧、Ｖｓ…ソース信号の振幅。
【図１】
2011154379.tif 000003
【図２】
2011154379.tif 000004
【図３】
2011154379.tif 000005
【図４】
2011154379.tif 000006
【図５】
2011154379.tif 000007
【図６】
2011154379.tif 000008
【図７】
2011154379.tif 000009
【図８】
2011154379.tif 000010
【図９】
2011154379.tif 000011
【図１０】
2011154379.tif 000012
【図１１】
2011154379.tif 000013
【図１２】
2011154379.tif 000014
【図１３】
2011154379.tif 000015
【図１４】
2011154379.tif 000016
【図１５】
2011154379.tif 000017
【図１６】
2011154379.tif 000018
【図１７】
2011154379.tif 000019
【図１８】
2011154379.tif 000020
【図１９】
2011154379.tif 000021
【図２０】
2011154379.tif 000022